(57)【要約】【課題】複数の板状の電気回路パッケージを収納したシェルフを複数台収納したラックにおいて、ラックへの電気回路パッケージの収容効率を確保した上で、電気回路パッケージの挿抜の容易性を向上する。【解決手段】板状の電気回路パッケージを複数、重なるように第１の方向に並べた配置で、第１の方向に直交する第２の方向に挿抜可能に収納するシェルフを、第１の方向及び第２の方向に直交する第３の方向に複数、重なるように並べた配置で収納するラックに用いるケーブルサポートであって、シェルフの電気回路パッケージを挿抜する側において電気回路パッケージに接続されたケーブルを保持し、ケーブルを保持する第３の方向における位置を２つのシェルフの境界を挟んで移動させる移動機構、及び移動させた位置において固定する固定機構を備える。【選択図】      図１
2019009188.tif 000002
【特許請求の範囲】
【請求項１】
板状の電気回路パッケージを複数、重なるように第１の方向に並べた配置で、前記第１の方向に直交する第２の方向に挿抜可能に収納するシェルフを、前記第１の方向及び前記第２の方向に直交する第３の方向に複数、重なるように並べた配置で収納するラックに用いるケーブルサポートであって、
前記シェルフの前記電気回路パッケージを挿抜する側において前記電気回路パッケージに接続されたケーブルを保持し、前記ケーブルを保持する前記第３の方向における位置を２つの前記シェルフの境界を挟んで移動させる移動機構、及び移動させた位置において固定する固定機構を備えたことを特徴とする
ケーブルサポート。
【請求項２】
前記移動機構は、前記ケーブルを保持する前記第３の方向における位置を２つの前記シェルフの境界を挟んで連続的に移動させる請求項１に記載のケーブルサポート。
【請求項３】
前記移動機構は、前記ケーブルを保持する前記第３の方向における位置を２つの前記シェルフの境界を挟んで段階的に移動させる請求項１に記載のケーブルサポート。
【請求項４】
前記第１の方向を長手方向とする板形状を成し、前記ケーブルを保持する棚部と、
前記ラックに固定され、前記棚部の移動方向を前記第３の方向に限定するスライド部を有する１対の支持部と、
前記スライド部に対する前記棚部の前記第３の方向における位置を固定及び固定解除する固定部と
を備えた請求項１乃至３の何れか１項に記載のケーブルサポート。
【請求項５】
前記１対の支持部は、２つの前記シェルフの境界を跨いで前記ラックに固定されている、請求項４に記載のケーブルサポート。
【請求項６】
前記固定部は、前記棚部の前記第３の方向における位置を２つの前記シェルフの境界に固定可能な、請求項４に記載のケーブルサポート。
【請求項７】
前記棚部は、前記第１の方向の両端面にネジ穴を有し、
前記支持部は、前記第３の方向を長手方向とする長穴を有し、
前記スライド部は、前記棚部の前記第１の方向における両端面が、前記第３の方向に移動自在に係合する溝であり、
前記固定部は、前記長穴を貫通した後に前記ネジ穴に螺合するネジである
請求項４乃至６の何れか１項に記載のケーブルサポート。
【請求項８】
断面に貫通丸穴を有する断面が長方形であるスペーサと、
断面にネジ穴を有するナットと
を更に備え、
前記棚部は、前記第１の方向の両端面に、互いに鏡映を成す長手方向が傾斜した傾斜長穴を有し、
前記支持部は、前記第２の方向を長手方向とする長穴と、前記スペーサが前記第２の方向に移動自在に係合する第１の溝とを有し、
前記スライド部は、前記棚部の前記第１の方向における両端面が、前記第３の方向に移動自在に係合する第２の溝であり、
前記固定部は、前記長穴、前記貫通丸穴、及び前記傾斜長穴を順に貫通した後に前記ネジ穴に螺合するネジである
請求項４乃至６の何れか１項に記載のケーブルサポート。
【請求項９】
板状の電気回路パッケージを複数、重なるように第１の方向に並べた配置で、前記第１の方向に直交する第２の方向に挿抜可能に収納するシェルフを、前記第１の方向及び前記第２の方向に直交する第３の方向に複数、重なるように並べた配置で収納するラックであって、
前記シェルフと、
前記ラックに固定され、前記電気回路パッケージを挿抜する側の前記シェルフにおいて前記電気回路パッケージに接続されたケーブルを保持し、前記ケーブルを保持する前記第３の方向における位置を２つの前記シェルフの境界を挟んで移動させる移動機構、及び変化させた位置において固定する固定機構を含むケーブルサポートと
を備えたラック。
【請求項１０】
板状の電気回路パッケージと、
前記電気回路パッケージを、複数、重なるように第１の方向に並べた配置で、前記第１の方向に直交する第２の方向に挿抜可能に収納する複数のシェルフと、
前記シェルフを、前記第１の方向及び前記第２の方向に直交する第３の方向に複数、重なるように並べた配置で収納するラックと、
前記ラックに固定され、前記電気回路パッケージを挿抜する側の前記シェルフにおいて前記電気回路パッケージに接続されたケーブルを保持し、前記ケーブルを保持する前記第３の方向における位置を２つの前記シェルフの境界を挟んで移動させる移動機構、及び変化させた位置において固定する固定機構を含むケーブルサポートと
を備えた電気装置。
【発明の詳細な説明】
【技術分野】
【０００１】
本発明は、複数の板状の電気回路パッケージ（回路基板、インタフェースカード、ブレードサーバ、ラックマウント型の電子機器等）を収納したシェルフを複数台収納したラックにおいて、電気回路パッケージに接続されたケーブルを収納する技術に関する。
【背景技術】
【０００２】
電気装置は、複数の板状の電気回路パッケージ（以下、単に「電気回路パッケージ」と称す）を含むことがある。電気装置が複数の電気回路パッケージを含む場合には、各電気回路パッケージは、ラックに収納されることが多い。多数の電気回路パッケージを高密度に収納する場合には、先ず各電気回路パッケージを互いに重なるように幅方向に並べた配置でシェルフに収納し、更に各シェルフを互いに重なるように積み上げた配置でラックに収納することが多い。以下では、上述のように、ラックに複数のシェルフを収納し、各シェルフに複数の電気回路パッケージを収納する場合について説明する。
【０００３】
ラックに収納された各電気回路パッケージは、ケーブルに接続されることが多い。ラックに収納された各電気回路パッケージは保守等の際に挿抜されるので、シェルフ間にケーブルを配置するためのスペースを確保しないと、ケーブルが電気回路パッケージの挿抜の障害になるという問題があった。そこで、シェルフ間にケーブルを配置するためのスペースを確保し、そのスペースにケーブルダクトやケーブル収容棚等を設置することが多い。ところが、この場合には、シェルフ間にケーブルを配置するためのスペースを確保した分だけ、ラックに収容可能な電気回路パッケージの枚数（収容効率）が減少するという問題があった。
【０００４】
ラックへの電気回路パッケージの収容効率とラックにおける電気回路パッケージの挿抜の容易性とを両立させる技術が、特許文献１に開示されている。特許文献１のコネクタ付きケーブルの収容構造は、電子回路パッケージの搭載枠と、ケーブルサポートと、スライド手段と、２位置ロック手段とを含む。搭載枠は、複数の電子回路パッケージを全体として本棚に並べた複数の本のように水平方向に挿抜自在に搭載する。ケーブルサポートは、これら複数の電子回路パッケージにそれぞれ接続されるコネクタ付ケーブルを収容し、収容時にはコネクタ付ケーブルの収容された部分を含めて全体として上下方向に所定の収容幅を有する。スライド手段は、このケーブルサポートを、その上限位置では収容幅の下端部がケーブルサポートの収容するコネクタ付ケーブルと接続された電子回路パッケージが水平方向に抜き出される際に通過する空間領域の下端位置よりも上側に位置させる。又、スライド手段は、このケーブルサポートを、その下限位置では収容幅の上端部が当該空間領域の下端位置よりも下側に位置させる。そして、スライド手段は、このケーブルサポートを、この範囲内で搭載枠に対して上下動自在に配置する。２位置ロック手段は、このスライド手段を上限位置と下限位置の２つの位置を機械的な異なる２つの安定位置にそれぞれ対応させることでロックする。上記構成の結果、コネクタ付きケーブルの収容構造は、電子回路パッケージの正面側にコネクタ付きケーブルを実装する場合であっても、これらパッケージの挿抜を可能とするためにパッケージの存在する領域以外に必要とされた上下方向の空間が不要である。従って、特許文献１のコネクタ付きケーブルの収容構造は、ラックへの電気回路パッケージの収容効率とラックにおける電気回路パッケージの挿抜の容易性とを両立させる。
【先行技術文献】
【特許文献】
【０００５】
【特許文献１】特許３５８２９２６号公報
【発明の概要】
【発明が解決しようとする課題】
【０００６】
ケーブルサポートを使用する場合には、通常、ケーブルはケーブルサポートに結束等されることにより固定される。ケーブルが電気回路パッケージの挿抜の障害にならないためには、ケーブルとケーブルサポートとの全体を、電気回路パッケージの挿抜の障害にならない距離だけ移動させる必要がある。つまり、ケーブルサポートの必要な移動量は、ケーブルサポートに固定されたケーブルの嵩、即ち、ケーブルの太さ、本数、可撓性等に依存して変化する。
【０００７】
又、ケーブルサポートの移動量に対応可能な分だけ、ケーブルはあそびを有する必要がある。但し、ケーブルのあそびは、多すぎると余ったケーブルが電気回路パッケージの挿抜の障害になり得るので、必要最小限に設定される。
【０００８】
例えば、ケーブルが太くて硬い場合には、ケーブルが電気回路パッケージの挿抜の障害にならないようにするために、ケーブルのあそびを多く設定して、且つケーブルサポートを多く移動させる。一方、ケーブルが細くて柔らかい場合には、ケーブルのあそびを少なく設定して、且つケーブルサポートを少し移動させる。
【０００９】
しかしながら、特許文献１のコネクタ付きケーブルの収容構造では、２位置ロック手段が、上限位置と下限位置の２つの位置の何れかにおいてケーブルサポートをロックする。即ち、ケーブルの太さや、本数、可撓性等に応じて、ケーブルサポートの移動量を選択することができない。つまり、ケーブルの嵩に適した距離だけ移動させた状態においてケーブルサポートを固定して、電気回路パッケージの挿抜を行うことができない恐れがある。従って、特許文献１のコネクタ付きケーブルの収容構造には、ラックにおける電気回路パッケージの挿抜の容易性が不十分であるという問題がある。
【００１０】
本発明は、上記課題に鑑みてなされたもので、複数の板状の電気回路パッケージを収納したシェルフを複数台収納したラックにおいて、ラックへの電気回路パッケージの収容効率を確保した上で、電気回路パッケージの挿抜の容易性を向上させることを主たる目的とする。
【課題を解決するための手段】
【００１１】
本発明の一態様において、ケーブルサポートは、板状の電気回路パッケージを複数、重なるように第１の方向に並べた配置で、第１の方向に直交する第２の方向に挿抜可能に収納するシェルフを、第１の方向及び第２の方向に直交する第３の方向に複数、重なるように並べた配置で収納するラックに用いるケーブルサポートであって、シェルフの電気回路パッケージを挿抜する側において電気回路パッケージに接続されたケーブルを保持し、ケーブルを保持する第３の方向における位置を２つのシェルフの境界を挟んで移動させる移動機構、及び移動させた位置において固定する固定機構を備える。
【００１２】
本発明の一態様において、ラックは、板状の電気回路パッケージを複数、重なるように第１の方向に並べた配置で、第１の方向に直交する第２の方向に挿抜可能に収納するシェルフを、第１の方向及び第２の方向に直交する第３の方向に複数、重なるように並べた配置で収納するラックであって、シェルフと、ラックに固定され、電気回路パッケージを挿抜する側のシェルフにおいて電気回路パッケージに接続されたケーブルを保持し、ケーブルを保持する第３の方向における位置を２つのシェルフの境界を挟んで移動させる移動機構、及び変化させた位置において固定する固定機構を含むケーブルサポートとを備える。
【００１３】
本発明の一態様において、電気装置は、板状の電気回路パッケージと、電気回路パッケージを、複数、重なるように第１の方向に並べた配置で、第１の方向に直交する第２の方向に挿抜可能に収納する複数のシェルフと、シェルフを、第１の方向及び第２の方向に直交する第３の方向に複数、重なるように並べた配置で収納するラックと、ラックに固定され、電気回路パッケージを挿抜する側のシェルフにおいて電気回路パッケージに接続されたケーブルを保持し、ケーブルを保持する第３の方向における位置を２つのシェルフの境界を挟んで移動させる移動機構、及び変化させた位置において固定する固定機構を含むケーブルサポートとを備える。
【発明の効果】
【００１４】
本発明によれば、複数の板状の電気回路パッケージを収納したシェルフを複数台収納したラックにおいて、ラックへの電気回路パッケージの収容効率を確保した上で、電気回路パッケージの挿抜の容易性を向上できるという効果がある。
【図面の簡単な説明】
【００１５】
【図１】本発明の第１の実施形態における電気装置の構成の一例を示す斜視図である。
【図２】本発明の第１の実施形態におけるケーブルサポートの構成の一例を示す分解斜視図である。
【図３】本発明の第２の実施形態におけるケーブルサポートの構成の一例を示す分解斜視図である。
【図４】本発明の第２の実施形態におけるケーブルサポートの動作を説明する斜視図である。
【図５】本発明の第３の実施形態における棚板の構成の一例を示す斜視図である。
【発明を実施するための形態】
【００１６】
以下、本発明の実施形態について、図面を参照して詳細に説明する。尚、すべての図面において、同等な構成要素には同じ符号を付し、適宜説明を省略する。
（第１の実施形態）
本実施形態における構成について説明する。
【００１７】
図１は、本発明の第１の実施形態における電気装置の構成の一例を示す斜視図である。
【００１８】
本実施形態の電気装置８００は、複数の電気回路パッケージ８１０と、複数のシェルフ６００と、ラック７００と、ケーブルサポート１００とを含む。電気装置８００は、例えば、複数の電気回路パッケージ８１０に機能が分散して実装された、通信装置、測定装置、増幅装置、サーバ、数値制御工作機械の制御装置である。
【００１９】
図１以降の全ての図において、ラックの、幅方向（実装した電気回路パッケージが重なっていく方向）を「Ｘ」で、奥行き方向（電気回路パッケージを挿抜する方向）を「Ｚ」で、厚み方向（実装したシェルフが重なっていく方向）を「Ｙ」で示すこととする。幅方向Ｘ、奥行き方向Ｚ、厚み方向Ｙは、互いに直交する。図１以降の全ての図において、ラックが設置される向きは一例であり、実際にラックが設置される向きは任意であってよい。
【００２０】
ラック７００は、シェルフ６００を、厚み方向Ｙに互いに重なるように並べた配置で収納する。図１では、ラック７００の上側の部分が図示され、下側の部分の図示は省略されている。図１はラック７００が２台のシェルフ６００を格納する例を図示しているが、ラック７００が格納するシェルフ６００の台数は、２台以上の任意の台数であってよい。シェルフ６００は、例えば、ボルトによりラック７００に固定される。２台のシェルフ６００の間にはスペースが存在してもよいが、以下の説明では、２台のシェルフ６００は厚み方向Ｙにスペースを伴わずに密接することとする。
【００２１】
シェルフ６００は、複数の電気回路パッケージ８１０を、互いに重なるように幅方向Ｘに並べた配置で、奥行き方向Ｚに挿抜可能に収納する。図１はシェルフ６００が１６枚の電気回路パッケージ８１０を格納する例を図示しているが、シェルフ６００が格納する電気回路パッケージ８１０の枚数は、１枚以上の任意の枚数であってよい。１枚以上の電気回路パッケージ８１０は、ケーブル８２０に接続される。
【００２２】
ケーブルサポート１００は、シェルフ６００の電気回路パッケージ８１０を挿抜する側において、電気回路パッケージ８１０に接続されたケーブル８２０を保持する。ケーブルサポート１００は、ケーブル８２０を保持する厚み方向Ｙにおける位置を、２つのシェルフ６００の境界を挟んで連続的に移動させることが可能である。又、ケーブルサポート１００は、ケーブル８２０を保持する厚み方向Ｙにおける位置を、移動させた位置において固定可能である。ケーブルサポート１００は、ラック７００に固定される。ケーブルサポート１００は、例えば、ボルトによりラック７００に固定される。ここで、１本のボルトは、ケーブルサポート１００とシェルフ６００との両方を、ラック７００の同じボルトの締結箇所（貫通穴又はネジ穴）に固定可能である。
【００２３】
ケーブルサポート１００は、移動機構２００と、固定機構５００とを含む。
【００２４】
移動機構２００は、シェルフ６００の電気回路パッケージ８１０を挿抜する側において、電気回路パッケージ８１０に接続されたケーブル８２０を保持する。又、移動機構２００は、ケーブル８２０を保持する厚み方向Ｙにおける位置を、２つのシェルフ６００の境界を挟んで移動させる。
【００２５】
固定機構５００は、ケーブル８２０を保持する厚み方向Ｙにおける位置を、移動させた位置において固定する。
【００２６】
図２は、本発明の第１の実施形態におけるケーブルサポートの構成の一例を示す分解斜視図である。
【００２７】
ケーブルサポート１００の一例であるケーブルサポート１０１について説明する。ケーブルサポート１０１は、棚部２０１と、１対の支持部３００、４００と、１対の固定部５０１とを含む。棚部２０１と、１対の支持部３００、４００とは、移動機構２００の一例である。１対の固定部５０１は、固定機構５００の一例である。
【００２８】
棚部２０１は、幅方向Ｘを長手方向とする板形状を成し、ケーブル８２０を保持する。
【００２９】
各支持部３００、４００は、ラック７００に固定され、棚部２０１の移動方向を厚み方向Ｙに限定するスライド部３４０、４４０を有する。
【００３０】
各固定部５０１はそれぞれ、スライド部３４０、４４０に対する棚部２０１の厚み方向Ｙにおける位置を、固定及び固定解除する。
【００３１】
ケーブルサポート１０１は、以下のような構造を有する。棚部２０１は、幅方向Ｘの両端面にネジ穴２４０（不図示）、２５０を有する。支持部３００、４００はそれぞれ、厚み方向Ｙを長手方向とする長穴３６０、４６０を有する。スライド部３４０、４４０は、棚部２０１の幅方向Ｘにおける両端面が、厚み方向Ｙに移動自在に係合する溝である。各固定部５０１はそれぞれ、長穴３６０、４６０を貫通した後に、ネジ穴２４０、２５０に螺合するネジである。
【００３２】
本実施形態における動作について説明する。
【００３３】
固定機構５００が固定解除された状態では、ケーブルサポート１００がケーブル８２０を保持する位置は、移動機構２００により、厚み方向Ｙにおいて２つのシェルフ６００の境界を挟んで連続的に移動可能である。作業者は、例えば、一方のシェルフ６００において電気回路パッケージ８１０を挿抜する場合には、電気回路パッケージ８１０の挿抜に好適な距離だけ、ケーブルサポート１００がケーブル８２０を保持する厚み方向Ｙにおける位置を他方のシェルフ６００側へ移動させる。つまり、たとえ２つのシェルフ６００間にスペースがない場合であっても、作業者は電気回路パッケージ８１０をケーブルサポート１００と干渉させずに挿抜できる。
【００３４】
固定機構５００が固定された状態では、ケーブルサポート１００がケーブル８２０を保持する位置は、固定機構５００により、厚み方向Ｙにおいて２つのシェルフ６００の境界を挟んだ所定の範囲内における位置に固定される。作業者は、電気回路パッケージ８１０の挿抜が完了した場合には、ケーブルサポート１００がケーブル８２０を保持する厚み方向Ｙにおける位置を、例えば、２つのシェルフ６００の境界において固定する。
【００３５】
以上説明したように、本実施形態の電気装置８００では、移動機構２００は、ケーブル８２０を保持する厚み方向Ｙにおける位置を、２つのシェルフ６００の境界を挟んで移動させることが可能である。又、固定機構５００は、ケーブル８２０を保持する厚み方向Ｙにおける位置を、移動させた位置において固定することが可能である。つまり、ケーブル８２０の嵩に適した距離だけ移動させた状態においてケーブルサポート１００を固定して、電気回路パッケージ８１０の挿抜を行うことができる。これらの動作は、たとえ２つのシェルフ６００間にスペースがない場合であっても可能である。従って、本実施形態の電気装置８００には、複数の板状の電気回路パッケージを収納したシェルフを複数台収納したラックにおいて、ラックへの電気回路パッケージの収容効率を確保した上で、電気回路パッケージの挿抜の容易性を向上できるという効果がある。
（第２の実施形態）
次に、本発明の第１の実施形態を基本とする、本発明の第２の実施形態について説明する。本実施形態における電気装置では、ケーブルサポートがケーブルを保持する厚み方向における位置は、ケーブルサポートの奥行き方向における移動により決定される。
【００３６】
本実施形態における構成について説明する。
【００３７】
図３は、本発明の第２の実施形態におけるケーブルサポートの構成の一例を示す分解斜視図である。より具体的には、図３（Ａ）はケーブルサポート全体の分解斜視図であり、図３（Ｂ）はケーブルサポートの一方の支持部を拡大した分解斜視図である。
【００３８】
本実施形態の電気装置８０５（不図示）は、複数の電気回路パッケージ８１０と、複数のシェルフ６００と、ラック７００と、ケーブルサポート１０５とを含む。
【００３９】
ケーブルサポート１０５は、棚部２０５と、１対の支持部３０５、４０５と、１対の固定部５０１と、１対のスペーサ５２５と、１対のナット５３５とを含む。ここで、棚部２０５と、１対の支持部３０５、４０５とは、第１の実施形態における移動機構２００に対応する。又、１対の固定部５０１と、１対のスペーサ５２５と、１対のナット５３５とは、第１の実施形態における固定機構５００に対応する。
【００４０】
スペーサ５２５は、例えば、断面が長方形を成し、断面に貫通丸穴５４５を有する。
【００４１】
ナット５３５は、例えば、断面にネジ穴５５５を有する。
【００４２】
棚部２０５は、幅方向Ｘの両端面に、互いに鏡映を成す長手方向が傾斜した傾斜長穴２４５、２５５を有する。尚、図３では、傾斜長穴２４５、２５５は、手前の方が奥より穴の位置が高い傾斜の向きを有するが、傾斜の向きは逆であってもよい。
【００４３】
支持部３０５、４０５はそれぞれ、奥行き方向Ｚを長手方向とする長穴３６５、４６５と、スペーサ５２５が奥行き方向Ｚに移動自在に係合する凹溝３５５、４５５（不図示）とを有する。
【００４４】
スライド部３４０、４４０は、棚部２０５の幅方向Ｘにおける両端面が、厚み方向Ｙに移動自在に係合する溝である。
【００４５】
各固定部５０１はそれぞれ、長穴３６５、４６５、貫通丸穴５４５、及び傾斜長穴２４５、２５５を順に貫通した後にネジ穴５５５に螺合するネジである。
【００４６】
ケーブルサポート１０５は、固定部５０１とネジ穴５５５とが共に回転してしまうことを防ぐ回転防止用段２６５、２７５を有してもよい。
【００４７】
本実施形態における他の構成は、第１の実施形態における構成と同じである。
【００４８】
本実施形態における動作について説明する。
【００４９】
図４は、本発明の第２の実施形態におけるケーブルサポートの動作を説明する斜視図である。
【００５０】
固定部５０１が固定解除された状態では、棚部２０５がケーブル８２０を保持する位置は、支持部３０５、４０５により、幅方向Ｘ及び奥行き方向Ｚにおいて固定され、厚み方向Ｙにおいて２つのシェルフ６００の境界を挟んで連続的に移動可能である。作業者は、例えば、一方のシェルフ６００において電気回路パッケージ８１０を挿抜する場合には、電気回路パッケージ８１０の挿抜に好適な距離だけ、棚部２０５がケーブル８２０を保持する厚み方向Ｙにおける位置を他方のシェルフ６００側へ移動させる。つまり、たとえ２つのシェルフ６００間にスペースがない場合であっても、作業者は電気回路パッケージ８１０をケーブルサポート１０５と干渉させずに挿抜できる。
【００５１】
固定部５０１が長穴３６５、４６５の中央に位置する場合には、固定部５０１は傾斜長穴２４５、２５５の中央に位置する。従って、支持部３０５、４０５に対する棚部２０５の厚み方向Ｙにおける位置は、２つの限界の位置（後述）の中間の位置である（図４（Ａ））。
【００５２】
固定部５０１が長穴３６５、４６５の一端に位置する場合には、固定部５０１は傾斜長穴２４５、２５５の一端側に位置する。従って、支持部３０５、４０５に対する棚部２０５の厚み方向Ｙにおける位置は、一方の限界の位置である（図４（Ｂ））。
【００５３】
固定部５０１が固定された状態では、棚部２０５がケーブル８２０を保持する位置は、支持部３０５、４０５により、幅方向Ｘ及び奥行き方向Ｚにおいて固定される。そして、固定部５０１が固定された状態では、棚部２０５がケーブル８２０を保持する位置は、固定部５０１により、厚み方向Ｙにおいて２つのシェルフ６００の境界を挟んだ所定の範囲内における位置に固定される。作業者は、電気回路パッケージ８１０の挿抜が完了した場合には、棚部２０５がケーブル８２０を保持する厚み方向Ｙにおける位置を、例えば、２つのシェルフ６００の境界において固定する。
【００５４】
本実施形態における他の動作は、第１の実施形態における動作と同じである。
【００５５】
以上説明したように、本実施形態の電気装置８０５では、ケーブルサポート１０５は、ケーブル８２０を保持する厚み方向Ｙにおける位置を、２つのシェルフ６００の境界を挟んで連続的に移動させることが可能である。又、ケーブルサポート１０５は、ケーブル８２０を保持する厚み方向Ｙにおける位置を、移動させた位置において固定することが可能である。つまり、ケーブル８２０の嵩に適した距離だけ移動させた状態においてケーブルサポート１０５を固定して、電気回路パッケージ８１０の挿抜を行うことができる。これらの動作は、たとえ２つのシェルフ６００間にスペースがない場合であっても可能である。従って、本実施形態の電気装置８０５には、複数の板状の電気回路パッケージを収納したシェルフを複数台収納したラックにおいて、ラックへの電気回路パッケージの収容効率を確保した上で、電気回路パッケージの挿抜の容易性を向上できるという効果がある。
【００５６】
又、本実施形態の電気装置８０５では、ケーブルサポート１０５がケーブル８２０を保持する厚み方向Ｙにおける位置は、固定部５０１の奥行き方向Ｚにおける移動により決定される。従って、本実施形態の電気装置８０５には、固定部５０１を奥行き方向Ｚに移動させる操作が、固定部５０１を厚み方向Ｙに移動させる操作に比べて容易である場合に、固定部５０１を操作しやすいという効果がある。
【００５７】
尚、傾斜長穴２４５、２５５の傾きが４５度より小さい場合には、固定部５０１の奥行き方向Ｚにおける移動距離に比べて、棚部２０５の厚み方向Ｙにおける移動距離は小さい。従って、この場合には、本実施形態の電気装置８０５には、棚部２０５の厚み方向Ｙにおける位置を、より小さな力で、より精密に調節できるという効果がある。
（第３の実施形態）
次に、本発明の第２の実施形態を基本とする、本発明の第３の実施形態について説明する。本実施形態における電気装置では、第２の実施形態と棚板の形状が異なる。
【００５８】
図５は、本発明の第３の実施形態における棚板の構成の一例を示す斜視図である。
【００５９】
本実施形態のケーブルサポート１０６（不図示）は、第２の実施形態における棚部２０５の代わりに棚部２０６を有する。本実施形態における他の構成は、第２の実施形態における構成と同じである。
【００６０】
棚部２０６は、傾斜長穴２４５、２５５の代わりに、厚み方向Ｙが長手方向である主たる長穴に、奥行き方向Ｚが長手方向である従たる長穴が木の枝のように交互に接続した形状を成す枝状穴２４６（不図示）、２５６を有する。図５では、１つの主たる長穴に２つの従たる長穴が接続した形状を成す枝状穴２５６が例示されているが、従たる長穴の個数は１以上の任意の数であってよい。
【００６１】
ケーブルサポート１０６では、固定部５０１の奥行き方向Ｚにおける１つの位置に対して、ケーブルサポート１０６がケーブル８２０を保持する厚み方向Ｙにおける位置は複数存在する。
【００６２】
従って、本実施形態におけるケーブルサポート１０６には、ケーブルサポート１０６がケーブル８２０を保持する厚み方向Ｙにおける位置を段階的に変化させ易いという効果がある。本効果は、ケーブルの太さ等に応じて、ケーブルサポート１０６がケーブル８２０を保持する厚み方向Ｙにおける位置を段階的に移動させたい場合等に有用である。
【００６３】
ケーブルサポート１０６では、棚部２０６は、ケーブル８２０を通すケーブル溝２８６を有してもよい。この場合には、本実施形態には、ケーブルサポート１０６にケーブル８２０を保持させ易いという効果がある。
【００６４】
又、ケーブルサポート１０６では、棚部２０６は、ケーブル８２０を係止するワイヤを通す係止孔２９６を有してもよい。この場合には、本実施形態には、ケーブルサポート１０６にケーブル８２０を固定し易いという効果がある。
【００６５】
以上、本発明を、上述した各実施形態及びその変形例によって例示的に説明した。しかしながら、本発明の技術的範囲は、上述した各実施形態及びその変形例に記載した範囲に限定されない。当業者には、係る実施形態に対して多様な変更又は改良を加えることが可能であることは明らかである。そのような場合、係る変更又は改良を加えた新たな実施形態も、本発明の技術的範囲に含まれ得る。そしてこのことは、特許請求の範囲に記載した事項により明らかである。
【００６６】
上記の実施形態の一部又は全部は、以下の付記のようにも記載されうるが、以下には限られない。
（付記１）
板状の電気回路パッケージを複数、重なるように第１の方向に並べた配置で、前記第１の方向に直交する第２の方向に挿抜可能に収納するシェルフを、前記第１の方向及び前記第２の方向に直交する第３の方向に複数、重なるように並べた配置で収納するラックに用いるケーブルサポートであって、
前記シェルフの前記電気回路パッケージを挿抜する側において前記電気回路パッケージに接続されたケーブルを保持し、前記ケーブルを保持する前記第３の方向における位置を２つの前記シェルフの境界を挟んで移動させる移動機構、及び移動させた位置において固定する固定機構を備えたことを特徴とする
ケーブルサポート。
（付記２）
前記移動機構は、前記ケーブルを保持する前記第３の方向における位置を２つの前記シェルフの境界を挟んで連続的に移動させる付記１に記載のケーブルサポート。
（付記３）
前記移動機構は、前記ケーブルを保持する前記第３の方向における位置を２つの前記シェルフの境界を挟んで段階的に移動させる付記１に記載のケーブルサポート。
（付記４）
前記第１の方向を長手方向とする板形状を成し、前記ケーブルを保持する棚部と、
前記ラックに固定され、前記棚部の移動方向を前記第３の方向に限定するスライド部を有する１対の支持部と、
前記スライド部に対する前記棚部の前記第３の方向における位置を固定及び固定解除する固定部と
を備えた付記１乃至３の何れか１項に記載のケーブルサポート。
（付記５）
前記１対の支持部は、２つの前記シェルフの境界を跨いで前記ラックに固定されている、付記４に記載のケーブルサポート。
（付記６）
前記固定部は、前記棚部の前記第３の方向における位置を２つの前記シェルフの境界に固定可能な、付記４に記載のケーブルサポート。
（付記７）
前記棚部は、前記第１の方向の両端面にネジ穴を有し、
前記支持部は、前記第３の方向を長手方向とする長穴を有し、
前記スライド部は、前記棚部の前記第１の方向における両端面が、前記第３の方向に移動自在に係合する溝であり、
前記固定部は、前記長穴を貫通した後に前記ネジ穴に螺合するネジである
付記４乃至６の何れか１項に記載のケーブルサポート。
（付記８）
断面に貫通丸穴を有する断面が長方形であるスペーサと、
断面にネジ穴を有するナットと
を更に備え、
前記棚部は、前記第１の方向の両端面に、互いに鏡映を成す長手方向が傾斜した傾斜長穴を有し、
前記支持部は、前記第２の方向を長手方向とする長穴と、前記スペーサが前記第２の方向に移動自在に係合する第１の溝とを有し、
前記スライド部は、前記棚部の前記第１の方向における両端面が、前記第３の方向に移動自在に係合する第２の溝であり、
前記固定部は、前記長穴、前記貫通丸穴、及び前記傾斜長穴を順に貫通した後に前記ネジ穴に螺合するネジである
付記４乃至６の何れか１項に記載のケーブルサポート。
（付記９）
前記棚部は、前記傾斜長穴の代わりに、前記第３の方向が長手方向である主たる長穴に、前記第２の方向が長手方向である従たる長穴が木の枝のように交互に接続した形状を成す枝状穴を有する
付記８に記載のケーブルサポート。
（付記１０）
前記棚部は、前記ケーブルを通すケーブル溝と、前記ケーブルを係止するワイヤを通す係止孔とを有する
付記４乃至９の何れか１項に記載のケーブルサポート。
（付記１１）
板状の電気回路パッケージを複数、重なるように第１の方向に並べた配置で、前記第１の方向に直交する第２の方向に挿抜可能に収納するシェルフを、前記第１の方向及び前記第２の方向に直交する第３の方向に複数、重なるように並べた配置で収納するラックであって、
前記シェルフと、
前記ラックに固定され、前記電気回路パッケージを挿抜する側の前記シェルフにおいて前記電気回路パッケージに接続されたケーブルを保持し、前記ケーブルを保持する前記第３の方向における位置を２つの前記シェルフの境界を挟んで移動させる移動機構、及び変化させた位置において固定する固定機構を含むケーブルサポートと
を備えたラック。
（付記１２）
前記ケーブルサポートは、
前記第１の方向を長手方向とする板形状を成し、前記ケーブルを保持する棚部と、
前記ラックに固定され、前記棚部の移動方向を前記第３の方向に限定するスライド部を有する１対の支持部と、
前記スライド部に対する前記棚部の前記第３の方向における位置を固定及び固定解除する固定部とを含む
付記１１に記載のラック。
（付記１３）
板状の電気回路パッケージと、
前記電気回路パッケージを、複数、重なるように第１の方向に並べた配置で、前記第１の方向に直交する第２の方向に挿抜可能に収納する複数のシェルフと、
前記シェルフを、前記第１の方向及び前記第２の方向に直交する第３の方向に複数、重なるように並べた配置で収納するラックと、
前記ラックに固定され、前記電気回路パッケージを挿抜する側の前記シェルフにおいて前記電気回路パッケージに接続されたケーブルを保持し、前記ケーブルを保持する前記第３の方向における位置を２つの前記シェルフの境界を挟んで移動させる移動機構、及び変化させた位置において固定する固定機構を含むケーブルサポートと
を備えた電気装置。
（付記１４）
前記ケーブルサポートは、
前記第１の方向を長手方向とする板形状を成し、前記ケーブルを保持する棚部と、
前記ラックに固定され、前記棚部の移動方向を前記第３の方向に限定するスライド部を有する１対の支持部と、
前記スライド部に対する前記棚部の前記第３の方向における位置を固定及び固定解除する固定部とを含む
付記１３に記載の電気装置。
【産業上の利用可能性】
【００６７】
本発明は、通信機器、測定機器、増幅器、サーバ、数値制御工作機械の制御装置等における、通信ケーブル、インタフェースケーブル等を有する電気回路パッケージをラックに収納する用途において利用できる。
【符号の説明】
【００６８】
１００、１０５、１０６  ケーブルサポート
２００  移動機構
２０１、２０５、２０６  棚部
２４５、２５５  傾斜長穴
２４６、２５６  枝状穴
２６５、２７５  回転防止用段
２８６  ケーブル溝
２９６  係止孔
３００、４００、３０５、４０５  支持部
３４０、４４０  スライド部
３５５、４５５  凹溝
３６５、４６５  長穴
５００  固定機構
５０１  固定部
５２５  スペーサ
５３５  ナット
５４５  貫通丸穴
５５５  ネジ穴
６００  シェルフ
７００  ラック
８００  電気装置
８１０  電気回路パッケージ
８２０  ケーブル
【図１】
2019009188.tif 000003
【図２】
2019009188.tif 000004
【図３】
2019009188.tif 000005
【図４】
2019009188.tif 000006
【図５】
2019009188.tif 000007